(57)【要約】      （修正有）【課題】送受信器の長さ、幅、寸法に関わらずに使用でき、左右どちらの耳を使用しても送話部１９が人体の口付近に位置し、落下の恐れが無い、両手を使わずに送受信器の通話ができる送受信器保持具を提供する。【解決手段】通信機器送受信器の種類に関わらずに挿脱が自在にでき、中を透かして見えることができ、身体の一部に係止することができる係止手段と、上端付近に開口部１６を有し、該開口部から送話部１９と受話部１８を備えた送受信器を挿入する送受信器保持袋体と、送受信器保持袋体を着脱可能に保持する保持手段と、保持手段は、送受信器保持袋体を係止手段と着脱可能に保持する保持手段とを備え、送受信器を保持した状態で、送受信器の送話部を人体の口付近に位置させて保持できる。【選択図】図２−ａ
0003112275.tif 000002
【実用新案登録請求の範囲】
【請求項１】
身体の一部に装着可能な装着手段と、
上端付近に開口部を有し、該開口部から送話部と受話部を有する送受信器を挿入可能な
送受信器保持袋体と、
前記装着手段と前記送受信器保持袋体とを着脱可能にし、前記装着手段に前記送受信器保持袋体を保持させる保持手段とを備え、
該保持手段は、前記送受信器保持袋体を前記装着手段に保持された状態において、前記送受信器保持袋体に挿入された送受信器の受話部が耳付近に位置させ、送受信器の送話部が口付近に位置させるように前記送受信器保持袋体を前記装着手段に保持させることを特徴とする送受信器保持具。
【請求項２】
送受信器保持袋体は、
上下方向の長さを調整する長さ調整手段を有し、
該長さ調整手段により、前記送受信器保持袋体が前記装着手段に保持された状態において、前記送受信器保持袋体に挿入された送受信器の受話部が耳付近に位置させ、送受信器の送話部が口付近に位置させることを特徴とする請求項１記載の送受信器保持具。
【請求項３】
保持手段は、
前記装着手段および前記送受信器保持袋体に取り付けられた面ファスナーを有し、
該面ファスナーの結合構造により、前記装着手段と前記送受信器保持袋体とを着脱可能にすることを特徴とする請求項１または請求項２記載の送受信器保持具。
【請求項４】
保持手段は、
該装着手段と前記送受信器保持袋体とを着脱可能にするための突起体を有し、
前記突起体が少なくとも２箇所以上で前記装着手段と前記送受信器保持袋体とを貫通することにより、前記装着手段と前記送受信器保持袋体とを着脱可能にすることを特徴とする請求項１または請求項２記載の送受信器保持具。
【請求項５】
保持手段は、
前記送受信器保持袋体が前記装着手段に保持された状態において、前記送受信器保持袋体に挿入された送受信器の受話部を一方の耳付近に位置させ、送受信器の送話部が口付近に位置させるように前記送受信器保持袋体を前記装着手段に保持させるとともに、
前記保持手段による前記送受信器保持袋体の保持方法を変更することにより、前記送受信器保持袋体が前記装着手段に保持された状態において、前記送受信器保持袋体に挿入された送受信器の受話部を他方の耳付近に位置させ、送受信器の送話部が口付近に位置させるように前記送受信器保持袋体を前記装着手段に保持させることを特徴とする請求項１から請求項４のいずれかに記載の送受信器保持具。
【請求項６】
送受信器は、携帯電話であることを特徴とする請求項１から請求項５のいずれかに記載の送受信器保持具。
【請求項７】
前記送受信器保持袋体に補強板を設けたことを特徴とする請求項１から請求項６のいずれかに記載の送受信器保持具。
【考案の詳細な説明】
【技術分野】
【０００１】
本考案は、送受信器を保持する送受信器保持具に関する。
【背景技術】
【０００２】
従来の送受信器の保持に関する技術は、人体の頭部を挟み込んで装着する狭着部材を、頭部に装着した状態で、頭部側部を保護する保護部材と、携帯電話を支持する支持部材から構成されている。該狭着部材には、面ファスナーが取り付けられたベルト状部材を縫合により設けている。保持手段は、このベルト状部材を、携帯電話に巻き付けて面ファスナーの結合構造により、保持するものであった（たとえば、特許文献１）。
【特許文献１】特開２００２−３７４３３６号公報
【考案の開示】
【考案が解決しようとする課題】
【０００３】
しかしながら、従来の送受信器の保持に関する技術では、支持部材がベルト部材の抜け止めの役割を果たしているが、携帯電話の抜け落ちるのを防いで無いので、携帯電話は、落下する恐れがある。また、狭着部材と、保護部材と、支持部材とが一体構成になっているため、家の中で使用する場合、工場で使用する場合、また旅先で使用する場合等の異なった場所で使用しようとすると、その一体構成になったものを持ち歩く必要があり、使用する上で非常に不便であった。
本考案は、上記問題点を解決するためになされたものであり、家庭や工場または、旅先等の異なった現場の変化に対応でき、送受信器の長さ、幅寸法に関わらずに使用でき、左右どちらの耳を使用しても送話部が人体の口付近に位置し、落下の恐れが無い、両手を使わずに送受信器の通話ができる送受信器保持具を提供することを目的とする。
【課題を解決するための手段】
【０００４】
上記目的を達成するために、身体の一部に装着可能な装着手段と、
上端付近に開口部を有し、該開口部から送話部と受話部を有する送受信器を挿入可能な
送受信器保持袋体と、
前記装着手段と前記送受信器保持袋体とを着脱可能にし、前記装着手段に前記送受信器保持袋体を保持させる保持手段とを備え、
該保持手段は、前記送受信器保持袋体を前記装着手段に保持された状態において、前記送受信器保持袋体に挿入された送受信器の受話部が耳付近に位置させ、送受信器の送話部が口付近に位置させるように前記送受信器保持袋体を前記装着手段に保持させるものである。
【０００５】
また、送受信器保持袋体は、
上下方向の長さを調整する長さ調整手段を有し、
該長さ調整手段により、前記送受信器保持袋体が前記装着手段に保持された状態において、前記送受信器保持袋体に挿入された送受信器の受話部が耳付近に位置させ、送受信器の送話部が口付近に位置させるものである。
【０００６】
また、保持手段は、
前記装着手段および前記送受信器保持袋体に取り付けられた面ファスナーを有し、
該面ファスナーの結合構造により、前記装着手段と前記送受信器保持袋体とを着脱可能にするものである。
【０００７】
保持手段は、
該装着手段と前記送受信器保持袋体とを着脱可能にするための突起体を有し、
前記突起体が少なくとも２箇所以上で前記装着手段と前記送受信器保持袋体とを貫通することにより、前記装着手段と前記送受信器保持袋体とを着脱可能にするものである。
【０００８】
また、保持手段は、
前記送受信器保持袋体が前記装着手段に保持された状態において、前記送受信器保持袋体に挿入された送受信器の受話部を一方の耳付近に位置させ、送受信器の送話部が口付近に位置させるように前記送受信器保持袋体を前記装着手段に保持させるとともに、
前記保持手段による前記送受信器保持袋体の保持方法を変更することにより、前記送受信器保持袋体が前記装着手段に保持された状態において、前記送受信器保持袋体に挿入された送受信器の受話部を他方の耳付近に位置させ、送受信器の送話部が口付近に位置させるように前記送受信器保持袋体を前記装着手段に保持させるものである。
【０００９】
また、送受信器は、携帯電話である。
【００１０】
また、前記送受信器保持袋体には、補強板を設けている。
【考案の効果】
【００１１】
身体の一部に装着可能な装着手段と、上端付近に開口部を有し、該開口部から送話部と受話部を有する送受信器を挿入可能な送受信器保持袋体と、前記装着手段と前記送受信器保持袋体とを着脱可能にし、前記装着手段に前記送受信器保持袋体を保持させる保持手段とを備え、該保持手段は、前記送受信器保持袋体を前記装着手段に保持された状態において、前記送受信器保持袋体に挿入された送受信器の受話部が耳付近に位置させ、送受信器の送話部が口付近に位置させるように前記送受信器保持袋体を前記装着手段に保持させるので携帯電話の抜け落ちることがない効果があり、さらに、前記装着手段と前記送受信器保持袋体とを着脱可能にしているので、持ち歩く際に、非常に便利である。
【００１２】
送受信器保持袋体は、上下方向の長さを調整する長さ調整手段を有し、該長さ調整手段により、前記送受信器保持袋体が前記装着手段に保持された状態において、前記送受信器保持袋体に挿入された送受信器の受話部が耳付近に位置させ、送受信器の送話部が口付近に位置させるので、送受信器の長さ、幅寸法が異なる各種の送受信器に対応することができる。
【００１３】
保持手段は、前記装着手段および前記送受信器保持袋体に取り付けられた面ファスナーを有し、該面ファスナーの結合構造により、前記装着手段と前記送受信器保持袋体とを着脱可能にすることにより、装着手段と送受信器保持袋体との取り付け方法に自由度を持たせることができる。すなわち、装着手段と送受信器保持袋体との取り付け角度や取り付け位置を自由に設定することができる。
【００１４】
保持手段は、装着手段と前記送受信器保持袋体とを着脱可能にするための突起体を有し、
突起体が少なくとも２箇所以上で装着手段と送受信器保持袋体とを貫通することにより、前記装着手段と前記送受信器保持袋体とを着脱可能にすることにより、装着手段と送受信器保持袋体とがずれることない。
【００１５】
保持手段は、前記送受信器保持袋体が前記装着手段に保持された状態において、前記送受信器保持袋体に挿入された送受信器の受話部を一方の耳付近に位置させ、送受信器の送話部が口付近に位置させるように前記送受信器保持袋体を前記装着手段に保持させるとともに、前記保持手段による前記送受信器保持袋体の保持方法を変更することにより、前記送受信器保持袋体が前記装着手段に保持された状態において、前記送受信器保持袋体に挿入された送受信器の受話部を他方の耳付近に位置させ、送受信器の送話部が口付近に位置させるように前記送受信器保持袋体を前記装着手段に保持させることにより、使用の用途、使用者の好みに合わせて、送受信器を自由に左右使い分けすることができる。
【００１６】
送受信器は、携帯電話であるので、日常生活において持ち歩く頻度が多い携帯電話においても上記効果を奏することができ、利便性、利用価値が非常に向上する。
【００１７】
前記送受信器保持袋体に補強板を設けることにより、使用時に、ぐらつきや揺れを防ぎ安定する効果がある。
【考案を実施するための最良の形態】
【００１８】
送受信器保持袋体は、送受信器が挿入可能な袋状形態であり、人体に装着できる部材（例えば、カチューシャ、ヘルメット、ヘッドバンド等）に装着し、送受信器を両手を使用せずに保持できる送受信器保持具である。背面側は、人体に装着できる部材との装着手段を設け送受信器保持袋体のベースとなり、正面には網状繊維生地を使用し、側面には、伸縮性繊維生地を使用している。本実施形態では、人体に装着できる部材との装着手段に実施形態１では、面ファスナーを用い、実施形態２では、突起体を使用し狭着クリップを用い、実施形態３では、突起体を装着手段としている。
【００１９】
(実施形態１)
以下に本考案の実施形態について図面に従って詳細に説明する。
図１は本考案の送受信器保持袋体の斜視図である。
送受信器保持袋体の正面側に位置する網状繊維生地１は、レース生地等により長方形に形成されており、網状繊維生地１の左右両側端は、送受信器保持袋体の側面に位置する伸縮性繊維生地４の一端と縫合され、網状繊維生地１の下端部は、面ファスナーｆ３４ａと縫合され、網状繊維生地１の上端部は、送受信器の挿入可能とする開口部１６となる。
【００２０】
送受信器保持袋体の背面側に位置するベース２は、長方形に形成されている。ベース２の左右両側端は、伸縮性繊維生地４の一端と縫合され、ベース２の下端部は、面ファスナーｇ３４ｂと縫合される。
【００２１】
送受信器保持袋体の側面側に位置する伸縮性繊維生地４は、ニット生地等の伸縮性繊維生地により縦長の略帯状の長方形に形成されている。この伸縮性繊維生地４左右側端の一方を網状繊維生地１と縫合し、他方をベース２と縫合する。
【００２２】
送受信器保持袋体の底面側に位置する面ファスナーｆ３４ａ、面ファスナーｇ３４ｂは、結合構造により、送受信器保持袋体の底面を開閉可能としている。面ファスナーｆ３４ａと面ファスナーｇ３４ｂが、結合している場合には、送受信器保持袋体は、袋状形態となり送受信器は、落下することは無い。
【００２３】
送受信器保持袋体の上部に位置する開口部１６は、送受信器を挿入可能とする送受信器の挿脱できる部分であり、平面から見た場合には、口の字状に形成されている。
【００２４】
リボン７は、縦長の略帯状の長方形に形成されており、一方の一端を送受信器保持袋体の背面と縫合し、他方の一端を補助クリップ６に一巻きして縫合し送受信器保持袋体と補助クリップ６を結合している。
【００２５】
補助クリップ６は、圧弾力性を有し、断面から見ると、ムの字形状のクリップであり、人体の頭に装着できる部材の一部を挟み込み狭着する。これにより、送受信器保持袋体の落下防止の補助をしている。
【００２６】
図２(ａ)は、送受信器保持袋体の中にコード付送受信器２４を挿入した斜視図である。前記した符号と同符号の符号は前記構成と内容は、同一である。送受信器コード２５は、コード付送受信器２４と電話機本体（図示せず）とを繋ぐコードであり、送受信器保持袋体の底面に設けている面ファスナーｆ３４ａと面ファスナーｇ３４ｂの間を通過する。
【００２７】
受話部１８は、送受信器保持袋体の上部に位置し通話中に相手側の声や音を聞き取る。
【００２８】
送信部１９は、送受信器保持袋体の下部に位置し通話中に、こちら側の声や音を送信する。
【００２９】
図２（ｂ）は、送受信器保持袋体の中に折りたたみ式携帯電話１４を挿入した斜視図である。前記した符号と同符号の符号は前記構成と内容は、同一である。
【００３０】
図２（ｃ）は、送受信器保持袋体の中にストレートタイプ携帯電話１５を挿入した斜視図である。前記した符号と同符号の符号は前記構成と内容は、同一である。ストレートタイプ携帯電話１５は、コード付送受信器２４または、折りたたみ式携帯電話１４より長さが短い。ストレートタイプ携帯電話１５を送受信器保持袋体に挿入した場合には、受話部１８を送受信器保持袋体の上部に位置させる為に、送受信器保持袋体の下部を背面側に折り曲げて使用することになる。
【００３１】
図３（ａ）は、送受信器保持袋体の中にストレートタイプ携帯電話１５を挿入した断面図である。前記した符号と同符号の符号は前記構成と内容は、同一である。ベース２は、ベース生地ａ２ａとベース生地ｂ２ｂの合成皮等により長方形に形成されている。また、ベース２の上部には、ベース生地ａ２ａとベース生地ｂ２ｂの間に、アクリル板等の素材により、略四角柱の簿板形状の補強板５を接着剤等によりベース生地ａ２ａとベース生地ｂ２ｂに固着している構成となる。
【００３２】
送受信器保持袋体は、長さの調節手段として背面側に折り曲げることになる。
【００３３】
面ファスナーａ３１ａは、略帯状の長方形に形成された面ファスナーであり係合面を外側にして送受信器保持袋体の背面に横長に縫合され、人体に装着できる部材との装着手段の一部構成となる。
【００３４】
面ファスナーｂ３１ｂは、略帯状の長方形に形成された面ファスナーであり係合面を内側にして、面ファスナーａ３１ａと係合面が合うようにして、一端を送受信器保持袋体の背面に縫合し、面ファスナーａ３１ａと結合構造が取れる状態とし、人体に装着できる部材との装着手段の一部構成となる。
【００３５】
面ファスナーｃ３２ａは、縦長の略帯状の長方形に形成された面ファスナーであり係合面を外側にして送受信器保持袋体の背面に縫合する。この面ファスナーｃ３２ａは、面ファスナーｄ３２ｂと面ファスナーｅ３３ｂとの両方と係合する構成となる。面ファスナーｃ３２ａは、人体に装着できる部材との装着手段の一部構成と送受信器保持袋体の長さ調節手段の一部構成を兼ねている。
【００３６】
面ファスナーｄ３２ｂは、縦長の略帯状の長方形に形成された面ファスナーであり係合面を内側にして、上述の面ファスナーｃ３２ａと係合面が合うようにして、一端を送受信器保持袋体の背面に縫合し、面ファスナーｃ３２ａと結合構造が取れる状態とする。また、面ファスナーｄ３２ｂの長さは、面ファスナーｃ３２ａより短い長さとなり、人体に装着できる部材との装着手段の一部構成となる。
【００３７】
面ファスナーｅ３３ｂは、略四角形に形成された面ファスナーであり係合面を外側にして送受信器保持袋体の背面に縫合し、面ファスナーｃ３２ａと結合構造が取れる構成となり、送受信器保持袋体の長さ調節手段の一部構成となる。
【００３８】
図３（ｂ）は、送受信器保持袋体の中にストレートタイプ携帯電話１５を挿入し、送受信器保持袋体を背面側に折り曲げた断面図である。前記した符号と同符号の符号は前記構成と内容は、同一である。送受信器保持袋体は、面ファスナーｃ３２ａと面ファスナーｅ３３ｂとの結合構造により、背面側に折り曲げた姿勢を保っており、送受信器保持袋体の長さ調節の手段となり、送受信器の送信部１９が口付近に位置できる。
【００３９】
図３（ｃ）は、送受信器保持袋体の中にコード付送受信器２４を挿入した断面図である。前記した符号と同符号の符号は前記構成と内容は、同一である。伸縮性繊維生地４は、コード付送受信器２４の形態に合わせて、伸縮しているので、送受信器保持袋体とコード付送受信器２４は、略同一形態となる。
【００４０】
図４（ａ）は、送受信器保持袋体の背面図である。前記した符号と同符号の符号は前記構成と内容は、同一である。
図４（ａ）に示しているＲ１、Ｒ２、Ｌ１、Ｌ２の各符号は、人体に装着できる部材との装着時に当接する場所を表している。送受信器保持袋体の背面から見て面ファスナーの十字となる右上部分をＲ１、左下部分をＲ２、左上部分をＬ１、右下部分をＬ２とする。
【００４１】
図４（ｂ）は、ヘルメットの一部である安全ベルト１７に、送受信器保持袋体を装着している送受信器保持袋体の背面図である。前記した符号と同符号の符号は前記構成と内容は、同一である。
人体に装着できる部材に送受信器保持袋体を装着時には、送受信器保持袋体の背面に人体に装着できる部材の一部が当接することになる。この当接する場所が前記符号Ｌ１と前記符号Ｌ２の場合には、人体に装着できる部材がヘルメットの場合には、左耳側で送受信器保持袋体を使用することになる。
【００４２】
図４（ｃ）は、ヘルメットの一部である安全ベルト１７に、送受信器保持袋体を装着している送受信器保持袋体の背面図である。前記した符号と同符号の符号は前記構成と内容は、同一である。人体に装着できる部材がヘルメットの場合には、前記符号Ｒ１と前記符号Ｒ２の場合には、送受信器保持袋体を右耳側で使用することになる。人体に装着できる部材と送受信器保持袋体の当接する場所の変化により左右どちらの耳でも送受信器保持袋体を使用できる。
【００４３】
図５は、送受信器保持袋体を長さ調節の為に背面側に折り曲げた背面図である。前記した符号と同符号の符号は前記構成と内容は、同一である。
【００４４】
図６（ａ）は、ヘルメット８に送受信器保持袋体を左耳側に装着した斜視図である。前記した符号と同符号の符号は前記構成と内容は、同一である。ヘルメット８は、人体の頭部の形状に沿って湾曲した形状に形成されており、人体の両耳付近の位置より顎の辺りにかけて、略帯状の安全ベルト１７を設けている。ヘルメット８に送受信器保持袋体を装着し左耳側を使用する場合には、前記符号Ｌ１と前記符号Ｌ２が当接する。ヘルメット８に送受信器保持袋体を装着し右耳側を使用する場合には、前記符号Ｒ１と前記符号Ｒ２が当接する。
【００４５】
図６（ｂ）は、カチューシャ１０に送受信器保持袋体を左耳側に装着した装着した斜視図である。前記した符号と同符号の符号は前記構成と内容は、同一である。カチューシャ１０は弾性を備えた略帯状に形成され、頭部の頂上付近の形状に沿って湾曲した形状に形成されており、その両端部は、人体の両耳付近に位置する長さ寸法に形成されている。カチューシャ１０に送受信器保持袋体を装着し左耳側を使用する場合には、前記符号Ｌ１と前記符号Ｌ２が当接する。カチューシャ１０に送受信器保持袋体を装着し右耳側を使用する場合には、前記符号Ｒ１と前記符号Ｒ２が当接する。
【００４６】
図６（ｃ）は、ヘッドホン１１に送受信器保持袋体を左耳側に装着した装着した斜視図である。前記した符号と同符号の符号は前記構成と内容は、同一である。ヘッドホン１１は、弾性を有し、略帯状に形成され、人体の頭部頂上付近の形状に沿って湾曲した形状で、両端部に音を聴取するためのイヤーホーン部を有する形態となる。ヘッドホン１１に送受信器保持袋体を装着し左耳側を使用する場合には、前記符号Ｌ１と前記符号Ｌ２が当接する。ヘッドホン１１に送受信器保持袋体を装着し右耳側を使用する場合には、前記符号Ｒ１と前記符号Ｒ２が当接する。
【００４７】
図６（ｄ）は、ヘッドバンド１２に送受信器保持袋体を右耳側に装着した装着した斜視図である。前記した符号と同符号の符号は前記構成と内容は、同一である。ヘッドバンド１２は、伸縮性を有する人体の頭部に沿って捲回できる環形状の繊維生地等の素材である。ヘッドバンド１２に送受信器保持袋体を装着し左耳側を使用する場合には、前記符号Ｒ１と前記符号Ｒ２が当接する。ヘッドバンド１２に送受信器保持袋体を装着し右耳側を使用する場合には、前記符号Ｌ１と前記符号Ｌ２が当接する。
【００４８】
人体に装着できる部材と送受信器保持袋体の当接する場所が前記符号Ｌ１と前記符号Ｌ２の場合または、前記符号Ｒ１と前記符号Ｒ２の場合には、人体に装着できる部材の種類により左右どちらの耳を使用するのかは、異なるが左右どちらの耳でも使用できる。
【００４９】
（実施形態２）
図７（ａ）は、人体に装着できる部材に装着手段である狭着クリップ２１の正面図である。
狭着クリップ２１は、プラスチック等により、やや丸みをおびた四角形に形成されている補助板２３を２箇所と、圧弾性を有するゴム材等により形成されている狭着部２２から構成されている。
図７（ｂ）は、人体に装着できる部材に装着手段である狭着クリップ２１の側面図である。
【００５０】
図８（ａ）は、狭着クリップ２１を送受信器保持袋体にネジ止めした側面からみた拡大図である。前記した符号と同符号の符号は前記構成と内容は、同一である。
狭着クリップ２１を側面から見た場合に狭着部２２は、逆さムノ字状態となる。この狭着クリップ２１の補助板２３の一方に突起体のネジ１３を使用できるネジ穴を設け、送受信器保持袋体にも同様のネジ穴を設ける。狭着クリップ２１と送受信器保持袋体の両方のネジ穴に、突起体のネジ１３を挿入しネジ止めナット２０を使用し固着する。
【００５１】
狭着クリップ２１は、補助板２３を矢印、図８（ａ）上部の方向に力が入ると、狭着部２２の先端部分が矢印、図８（ａ）下部の方向に開くことになる。この狭着部２２の先端部を開けている間に、身体の一部に装着することができる部材の一部を挿入する。
【００５２】
図８（ｂ）は、狭着クリップ２１が身体の一部に装着することができる部材の一部である安全ベルト１７を挟み込んでいる側面から見た拡大図である。前記した符号と同符号の符号は前記構成と内容は、同一である。
上述した補助板２３に入れた力を除くと狭着部２２の先端は、矢印方向、図８（ｂ）下部に閉じ安全ベルト１７を挟み込むことになる。また、これら、補助板２３と狭着部２２の力の関係は、何度も繰り返すことができる。これにより、身体の一部に装着することができる部材に送受信器保持袋体は、着脱可能に狭着でき保持できる。
【００５３】
図９（ａ）は、送受信器保持袋体に狭着クリップ２１を用いた場合の断面図である。前記した符号と同符号の符号は前記構成と内容は、同一である。
【００５４】
図９（ｂ）は、送受信器保持袋体に狭着クリップ２１を用いて安全ベルト１７に装着している断面図である。前記した符号と同符号の符号は前記構成と内容は、同一である。
安全ベルト１７は、狭着クリップ２１に挟み込まれている。これにより送受信器保持袋体に装着し送受信器を保持する。
【００５５】
図１０は、送受信器保持袋体にネジ穴の位置を表した背面図である。前記した符号と同符号の符号は前記構成と内容は、同一である。
突起体を用いる送受信器保持袋体は、背面にネジ穴ａＲ３、ネジ穴ｂＬ３、ネジ穴ｃｃを設けている。
【００５６】
図１１（ａ）は、送受信器保持袋体に狭着クリップ２１を用いた場合に、ネジ穴ｂＬ３、ネジ穴ｃｃを使用した背面図である。前記した符号と同符号の符号は前記構成と内容は、同一である。ネジ穴ｂＬ３、ネジ穴ｃｃを使用した場合には、前記実施例１の符号Ｌ１と符号Ｌ２の場合と同一状態となる。
【００５７】
図１１（ｂ）は、送受信器保持袋体に狭着クリップ２１を用いた場合に、ネジ穴ａＲ３、ネジ穴ｃｃを使用した背面図である。前記した符号と同符号の符号は前記構成と内容は、同一である。ネジ穴ａＲ３、ネジ穴ｃｃを使用した場合には、前記実施例１の符号Ｒ１と符号Ｒ２の場合と同一状態となる。
【００５８】
図１２（ａ）は、ヘルメット８に付属の安全ベルト１７に送受信器保持袋体に狭着クリップ２１を用いて左耳側に装着している斜視図。前記した符号と同符号の符号は前記構成と内容は、同一である。
【００５９】
図１２（ｂ）は、カチューシャ１０に送受信器保持袋体に狭着クリップ２１を用いて左耳側に装着している斜視図である。前記した符号と同符号の符号は前記構成と内容は、同一である。
【００６０】
図１２（ｃ）は、ヘッドホン１１に送受信器保持袋体に狭着クリップ２１を用いて左耳側に装着している斜視図である。前記した符号と同符号の符号は前記構成と内容は、同一である。
【００６１】
図１２（ｄ）はヘッドバンド１２に送受信器保持袋体に狭着クリップ２１を用いて右耳側に装着している斜視図である。前記した符号と同符号の符号は前記構成と内容は、同一である。
【００６２】
（実施形態３）
図１３は、狭着部材９に送受信器保持袋体を装着した断面図である。前記した符号と同符号の符号は前記構成と内容は、同一である。
狭着部材９は、弾性を備えた略帯状に形成され、頭部の頂上付近の形状に沿って湾曲した形状に形成されている。
【００６３】
図１４（ａ）は、狭着部材９に送受信器保持袋体を左耳側に装着した斜視図である。前記した符号と同符号の符号は前記構成と内容は、同一である。
この狭着部材９は、人体の頭部に装着した状態で、その両端が人体の両耳付近に位置する長さ寸法に形成されており、その一方にネジ穴を設けている。このネジ穴は、ネジ１３とネジ止めナット２０を使用し狭着部材９に送受信器保持袋体を着脱可能に装着する為である。
【００６４】
図１４（ｂ）は、狭着部材９に送受信器保持袋体を右耳側に装着した斜視図である。前記した符号と同符号の符号は前記構成と内容は、同一である。突起体であるネジ１３とネジ止めナット２０を使用している為に狭着部材９に送受信器保持袋体は、強固に装着されている。
【００６５】
送受信器保持袋体は、トランシーバーや無線機または、卓上型電話機の送受信器または、子機等の通信機器を送受信器保持袋体に挿脱することは可能である。また、送受信器保持袋体の保持手段である面ファスナーの形状は、略帯状の長方形以外の形状でも同じ手段を持つことは可能である。また、網状生地１の変わりに透明素材を使用することも可能である。また、実施形態では、補助クリップ６とリボン７を送受信器保持袋体の落下防止に補助的に使用しているが、これら補助クリップ６とリボン７を使用しなくても身体の一部に装着することができる部材に送受信器保持袋体の装着は、可能である。これらの構成と手段により送受信器保持袋体は、複数種類の身体の一部に装着することができる部材に着脱可能に装着でき人体の手を使わずに送受信器を保持できる。
【００６６】
例えば、建設現場では、ヘルメット８、または、旅行先等の荷物を軽くしたい場合には、ヘッドバンド１２、または、身体の動き、または、居場所に応じて、ヘッドホン１１やカチューシャ１０等、複数種類の身体の一部に装着することができる部材に送受信器保持袋体を着脱可能に装着することができ、現場の変化や身体の動作の変化に対応することも可能である。
【図面の簡単な説明】
【００６７】
【図１】送受信器保持袋体の斜視図。
【図２−ａ】送受信器保持袋体の中にコード付送受信器を挿入した斜視図。
【図２−ｂ】送受信器保持袋体の中に折りたたみ式携帯電話を挿入した斜視図。
【図２−ｃ】送受信器保持袋体の中にストレートタイプ携帯電話を挿入した斜視図。
【図３−ａ】送受信器保持袋体の中にストレートタイプ携帯電話を挿入した断面図。
【図３−ｂ】送受信器保持袋体の中にストレートタイプ携帯電話を挿入し、送受信器保持袋体を背面側に折り曲げた断面図。
【図３−ｃ】送受信器保持袋体の中にコード付送受信器を挿入した断面図。
【図４−ａ】送受信器保持袋体の背面図。
【図４−ｂ】安全ベルトに送受信器保持袋体を装着している送受信器保持袋体の背面図。
【図４−ｃ】安全ベルトに送受信器保持袋体を装着している送受信器保持袋体の背面図。
【図５】送受信器保持袋体を長さ調節の為に背面側に折り曲げた背面図。
【図６−ａ】ヘルメットに送受信器保持袋体を左耳側に装着した斜視図。
【図６−ｂ】カチューシャに送受信器保持袋体を左耳側に装着した装着した斜視図。
【図６−ｃ】ヘッドホンに送受信器保持袋体を左耳側に装着した装着した斜視図。
【図６−ｄ】ヘッドバンドに送受信器保持袋体を右耳側に装着した装着した斜視図。
【図７】(ａ) 人体に装着できる部材に装着手段である狭着クリップの正面図。          (ｂ) 人体に装着できる部材に装着手段である狭着クリップの側面図。
【図８】(ａ) 狭着クリップを送受信器保持袋体にネジ止めした側面からみた拡大図。          (ｂ) 狭着クリップが安全ベルトを挟み込んでいる側面から見た拡大図。
【図９−ａ】送受信器保持袋体に狭着クリップを用いた場合の断面図。
【図９−ｂ】送受信器保持袋体に狭着クリップを用い安全ベルトに装着している断面図。
【図１０】送受信器保持袋体にネジ穴の位置を表した背面図。
【図１１】(ａ) 送受信器保持袋体に狭着クリップを用いた場合に、ネジ穴ｂ、ネジ穴ｃを使用した背面図。          (ｂ) 送受信器保持袋体に狭着クリップを用いた場合に、ネジ穴ａ、ネジ穴ｃを使用した背面図。
【図１２−ａ】安全ベルトに送受信器保持袋体に狭着クリップを用いて左耳側に装着している斜視図。
【図１２−ｂ】カチューシャに送受信器保持袋体に狭着クリップを用いて左耳側に装着している斜視図。
【図１２−ｃ】ヘッドホンに送受信器保持袋体に狭着クリップを用いて左耳側に装着している斜視図。
【図１２−ｄ】ヘッドバンドに送受信器保持袋体に狭着クリップを用いて右耳側に装着している斜視図。
【図１３】狭着部材に送受信器保持袋体を装着した断面図。
【図１４−ａ】狭着部材に送受信器保持袋体を左耳側に装着した斜視図。
【図１４−ｂ】狭着部材に送受信器保持袋体を右耳側に装着した斜視図。
【符号の説明】
【００６８】
１      網状繊維生地
２      ベース
２ａ    ベース生地ａ
２ｂ    ベース生地ｂ
４      伸縮性素材
５      補強板
６      補助クリップ
７      リボン
８      ヘルメット
９      狭着部材
１０    カチューシャ
１１    ヘッドホン
１２    ヘッドバンド
１３    ネジ
１４    折りたたみ式携帯電話
１５    ストレートタイプ携帯電話
１６    開口部
１７    安全ベルト
１８    受話部
１９    送話部
２０    ネジ止めナット
２１    狭着クリップ
２２    狭着部
２３    補助板
２４    コード付送受信器
２５    送受信器コード
３１ａ  面ファスナーａ
３１ｂ  面ファスナーｂ
３２ａ  面ファスナーｃ
３２ｂ  面ファスナーｄ
３３ｂ  面ファスナーｅ
３４ａ  面ファスナーｆ
３４ｂ  面ファスナーｇ
Ｒ３    ネジ穴ａ
Ｌ３    ネジ穴ｂ
Ｃ３    ネジ穴ｃ
【図１】
0003112275.tif 000003
【図２−ａ】
0003112275.tif 000004
【図２−ｂ】
0003112275.tif 000005
【図２−ｃ】
0003112275.tif 000006
【図３−ａ】
0003112275.tif 000007
【図３−ｂ】
0003112275.tif 000008
【図３−ｃ】
0003112275.tif 000009
【図４−ａ】
0003112275.tif 000010
【図４−ｂ】
0003112275.tif 000011
【図４−ｃ】
0003112275.tif 000012
【図５】
0003112275.tif 000013
【図６−ａ】
0003112275.tif 000014
【図６−ｂ】
0003112275.tif 000015
【図６−ｃ】
0003112275.tif 000016
【図６−ｄ】
0003112275.tif 000017
【図７】
0003112275.tif 000018
【図８】
0003112275.tif 000019
【図９−ａ】
0003112275.tif 000020
【図９−ｂ】
0003112275.tif 000021
【図１０】
0003112275.tif 000022
【図１１】
0003112275.tif 000023
【図１２−ａ】
0003112275.tif 000024
【図１２−ｂ】
0003112275.tif 000025
【図１２−ｃ】
0003112275.tif 000026
【図１２−ｄ】
0003112275.tif 000027
【図１３】
0003112275.tif 000028
【図１４−ａ】
0003112275.tif 000029
【図１４−ｂ】
0003112275.tif 000030